(57)【要約】【課題】複数のロールスクリーンユニットをシャッターケース内に連装する場合であっても、ロールスクリーンユニットが垂れ下がることなく良好に支持する。【解決手段】シャッターケース２の左右のブラケット５間に、ロールスクリーンユニット６の上方の空間に位置させて、支持シャフト７を架設し、ロールスクリーンユニット６を支持シャフト７により吊持する。一つの態様では、ロールスクリーンユニット６は、開口幅方向に連装される複数のロールスクリーンユニットである。一つの態様では、各ロールスクリーンユニット６の端部において、少なくとも左右のブラケット５から離隔する端部を支持シャフト７によって吊持する。【選択図】図４
2006063678.tif 000002
【特許請求の範囲】
【請求項１】
シャッターケースの左右のブラケット間に、ロールスクリーンユニットの上方の空間に位置させて、支持シャフトを架設し、該ロールスクリーンユニットを該支持シャフトにより吊持することを特徴とするロールスクリーンユニットの支持構造。
【請求項２】
前記ロールスクリーンユニットは、開口幅方向に連装される複数のロールスクリーンユニットであることを特徴とする請求項１に記載のロールスクリーンユニットの支持構造。
【請求項３】
各ロールスクリーンユニットの端部において、少なくとも左右のブラケットから離隔する端部を該支持シャフトによって吊持することを特徴とする請求項２に記載のロールスクリーンユニットの支持構造。
【請求項４】
前記少なくとも左右のブラケットから離隔する端部は、互いに近接する端部同士で中間支持部材に連結されており、該中間支持部材は該支持シャフトによって吊持されていることを特徴とする請求項３に記載のロールスクリーンユニットの支持構造。
【請求項５】
前記ロールスクリーンユニットは、高さ調整可能に支持シャフトから吊持されていることを特徴とする請求項１乃至４いずれかに記載のロールスクリーンユニットの支持構造。
【請求項６】
前記ロールスクリーンユニットは、上下方向に延出する螺子によって高さ調整可能に構成されていることを特徴とする請求項５に記載のロールスクリーンユニットの支持構造。
【請求項７】
前記螺子は、吊持手段と高さ調整手段を兼用することを特徴とする請求項６に記載のロールスクリーンユニットの支持構造。
【発明の詳細な説明】
【技術分野】
【０００１】
本発明は、シャッター装置に設けるロールスクリーンユニットの支持構造に関するものである。
【背景技術】
【０００２】
従来から、窓シャッター等のシャッターにロールスクリーンを併設してなるロールスクリーン付シャッターがあり、ロールスクリーン付シャッターについては、例えば、特許文献１、特許文献２に記載されている。シャッターケース内にロールスクリーンユニットを配設する場合に、単装のロールスクリーンユニットであれば、ロールスクリーンユニットの両端部をシャッターケースの左右ブラケットに固定することでロールスクリーンユニットを支持することができる。
【０００３】
しかしながら、開口幅が大きい場合等に、複数のロールスクリーンユニットを長さ方向に連装したいという要望があり、その場合に、シャッターケース内において、複数のロールスクリーンユニットをどのようにして支持するかが問題となる。シャッターケース内では、シャッターカーテンを巻き取るための巻取シャフトが開口幅方向に延設されているため、左右のブラケットのように、中間部位において躯体側から持ち出し状に中間ブラケットを設けることが困難である。したがって、特に、左右のブラケットから離隔する側のロールスクリーンユニットの端部をいかにして支持するかが問題となる。ブラケットと離隔する側の端部の支持が不十分だと、ロールスクリーンユニットの端部が垂れ下がってしまい、外観を損ねるのみならず、頻繁にメンテナンスが必要となったり、さらに、製品寿命が短くなり得ると共に、巻取りに支障を来たす惧れもある。
【０００４】
また、単装のロールスクリーンユニットであっても、左右のブラケットを用いないでロールスクリーンユニットをシャッターケース内に支持させたい場合もある。
【特許文献１】特開平１０−２８０３８１
【特許文献２】特開平１１−１６６３８０
【発明の開示】
【発明が解決しようとする課題】
【０００５】
本発明は、複数のロールスクリーンユニットをシャッターケース内に連装する場合であっても、ロールスクリーンユニットが垂れ下がることなく良好に支持することができるロールスクリーンユニットの支持構造を提供することを目的とするものである。
【０００６】
本発明の他の目的は、左右のブラケットを用いなくてもシャッターケース内でロールスクリーンユニットを支持できるような支持構造を提供することにある。
【課題を解決するための手段】
【０００７】
かかる課題を解決するために本発明が採用した技術手段は、シャッターケースの左右のブラケット間に、ロールスクリーンユニットの上方の空間に位置させて、支持シャフトを架設し、該ロールスクリーンユニットを該支持シャフトにより吊持することを特徴とするロールスクリーンユニットの支持構造である。本発明は、ロールスクリーンユニットは少なくともある部位において支持シャフトに吊持されているものも含み、他の支持手段（例えば、左右のブラケット）と併用してもよい。
【０００８】
一つの好ましい態様では、前記ロールスクリーンユニットは、開口幅方向に連装される複数のロールスクリーンユニットである。好ましくは、各ロールスクリーンユニットの端部において、少なくとも左右のブラケットから離隔する端部を該支持シャフトによって吊持するものである。一つの好ましい態様では、前記少なくとも左右のブラケットから離隔する端部は、互いに近接する端部同士で中間支持部材に連結されており、該中間支持部材は該支持シャフトによって吊持されている。
【０００９】
好ましい態様では、前記ロールスクリーンユニットは、高さ調整可能に支持シャフトから吊持されている。一つの好ましい態様では、前記ロールスクリーンユニットは、上下方向に延出する螺子によって高さ調整可能に構成されている。さらに、好ましくは、前記螺子は、吊持手段と高さ調整手段を兼用する。
【発明の効果】
【００１０】
本発明では、左右のブラケット間に架設した支持シャフトによってロールスクリーンユニットを吊持するものであり、支持シャフトの長さ内であれば任意の部位でロールスクリーンユニットを吊持することができるので、ロールスクリーンユニットの左右のブラケットから離隔した端部であっても良好に支持することができ、ロールスクリーンユニット端部の垂れ下がりを防止することができる。支持シャフトはシャッターケース内の空間を有効に利用して配設されるものであり、シャッターカーテンの巻取りに支障を来たすことがない。また、支持シャフトとしてシャッターカーテンを巻き取るための巻取シャフトを流用することができ、さらに、該巻取りシャフトの架設手段を流用することができる。
【００１１】
ロールスクリーンユニットの高さ調整機能を有するものでは、ロールスクリーンユニットの端部の垂れ下がりに対して効果的に対応できる。すなわち、ロールスクリーンの自重による垂れ下がりが発生した場合には、垂れ下がり部位の高さを調整することで、垂れ下がりを修正することができる。
【発明を実施するための最良の形態】
【００１２】
図１は、ロールスクリーンユニットが取り付けられる窓シャッター装置の正面図であり、開口部の幅方向両端部にはガイドレール１が立設されており、開口部上方にはシャッターケース２が設置されている。シャッターケース２内にはシャッターカーテン３を巻装する巻取りシャフト４が水平方向に延出して設けてあり、シャッターカーテン３の上端側が巻取りシャフト４に連結されている。開口部閉鎖時には、巻取りシャフト４から繰り出されたシャッターカーテン３は、その開口部幅方向端部がガイドレール１に案内されながら降下して開口部を閉鎖する。実施例では、このような窓シャッターに対して開口幅方向に連装された二つのロールスクリーンユニットが装着されている。
【００１３】
図２は、ロールスクリーン付窓シャッター装置の平面図であり、図３は、ロールスクリーン付窓シャッター装置の縦断面図である。シャッターケース２内には、左右のケース側板２０に近接して左右のブラケット５が設けてある。ブラケット５は、基端側に折曲片を有する板状部材であり、ブラケット５は、基端側の折曲片を介して螺子を用いて躯体に装着されており、巻取シャフト４の長さ方向に直交するように前方に持ち出し状に延出している。左右のブラケット５間には、基端側（躯体側）に位置して巻取シャフト４が架設されており、巻取シャフト４にはシャッターカーテン３が巻装される。
【００１４】
シャッターケース２内の空間において、巻取シャフト４及び巻取シャフト４に巻装されたシャッターカーテン３の前方斜め下方に位置して二つのロールスクリーンユニット６が長さ方向に連装されている。ロールスクリーンユニット６は、少なくとも上辺６０及び左右側部６１を備えたケースと、左右側部６１間に架設された巻取軸６２、及び巻取軸６２に巻装されるスクリーン６３とを有する。
【００１５】
図４上図は、シャッターケースの内部を示す部分内観図である。左右のブラケット５間には、連装されたロールスクリーンユニット６の直上に位置して鋼製の支持シャフト７が架設されている。支持シャフト７は、シャッターカーテン３が巻装された巻取シャフト４の前方でロールスクリーンユニット６の上方に形成された空間Sを利用して配設される。支持シャフト７は、左右のブラケット５に装着された軸受８に螺子孔７１を介して螺子によって連結支持されている。支持シャフト７及び軸受８は、シャッター装置の巻取りシャフト４、軸受を流用することができる。図４下図は、図４上図の中央部位の縦断面図であり、図中、参照番号１１は、化粧板である。
【００１６】
各ロールスクリーンユニット６は、左右のブラケット５に近接する側の端部（すなわち、一方のロールスクリーンユニット６の左のブラケット５側の端部、及び、他方のロールスクリーンユニット６の右のブラケット５側の端部）が端部支持部材９に支持され、ブラケット５から離隔する側の端部（すなわち、一方のロールスクリーンユニット６のブラケット５から離隔した端部、及び、他方のロールスクリーンユニット６のブラケット５から離隔した端部）が共通の中間支持部材１０に支持されている。三つ以上のロールスクリーンユニットが連装される場合には、中間に位置するロールスクリーンユニットは、両端部が共に各ブラケット５から離隔しており、両端部が中間支持部材１０に支持される。
【００１７】
図５に示すように、端部支持部材９は、上辺９０と後辺９１とから断面視略L形状を有し、上辺９０の一側には折曲片９２が、後辺９１の下端側には折曲片９３が形成されている。上辺９０には螺子孔９４が、折曲片９２には螺子孔９５がそれぞれ形成されている。端部支持部材９は折曲片９２の螺子孔９５を介して螺子９６によって左側ブラケット５に装着される。左右の端部支持部材９は左右対称となる点を除いて実質的な構成は同一であるので、図５では、図４における左側の端部支持部材９のみを示す。右側の端部支持部材９も同様に、螺子９６によって右側ブラケット５に装着される。
【００１８】
図６に示すように、中間支持部材１０は、上辺１００と後辺１０１とから断面視略L形状を有し、上辺１００の前側には折曲片１０２が、後辺１０１の下端側には折曲片１０３がそれぞれ形成されている。上辺１００には螺子孔１０４が形成されている。上辺１００の略中央部位には、挿通孔１０５が形成されている。
【００１９】
中間支持部材１０は、挿通孔１０５を介して高さ調整螺子１０６によって支持シャフト７に吊持される。支持シャフト７には挿通孔１０５に対応して挿通孔７０が形成されている。さらに、支持シャフト７には、挿通孔７０が形成された部位に位置してロールスクリーンユニットの位置調整金具１２が装着されている。図７に示すように、位置調整金具１２は上辺１２０、前辺１２１、後辺１２２から断面視コ字形状を有しており、前辺の螺子孔１２１a、支持シャフト７の長さ方向中間部位に形成された螺子孔７１、後辺の螺子孔１２２aを貫設する螺子によって支持シャフト７に固定される。位置調整金具１２の上辺１２０には、支持シャフト７の挿通孔７０に対応して螺子孔１２０aが形成されている。高さ調整螺子１０６は、頭部を下方側にして、その軸部が上下方向に延出しており、高さ調整螺子１０６の軸部は、中間支持部材１０の上辺１００の挿通孔１０５、支持シャフト７の挿通孔７０を挿通すると共に、位置調整金具１２の上辺１２０に形成した螺子孔１２０aに螺合されている。
【００２０】
図示の実施例におけるロールスクリーンユニット６の支持構造について説明する。各ロールスクリーンユニット６は、ケースの上辺６０を介して螺子９７，１０７を用いて端部支持部材９の上辺９０、中間支持部材１０の上辺１００に装着される。より具体的には、ロールスクリーンユニット６のブラケット５に近接する側の端部は、端部支持部材９の上辺９０に対して螺子９７によって装着され、ロールスクリーンユニット６のブラケット５から離隔する側の端部は、中間支持部材１０の上辺１００に螺子１０７によって装着される。
【００２１】
中間支持部材１０は、位置調整金具１２を介して高さ調整螺子１０６によって支持シャフト７に吊持されている。高さ調整螺子１０６の頭部は、連装されるロールスクリーンユニット６の近接する端部間の空間に露出しており、高さ調整螺子１０６によって、中間支持部材１０の高さ（上下方向の位置）を調整することができ、もって、ロールスクリーンユニット６の高さ調整が可能となる。高さ調整螺子１０６の下方側は開放状となっているので、シャッターケースを開けたりすることなく、下方からドライバ等を用いて高さ調整螺子１０６を回すという簡単な作業で中間支持部材１０の高さを調整することができる。
【００２２】
本実施例に係るロールスクリーンユニットの支持構造では、二つのロールスクリーンのブラケットから離隔する側の端部は共通の中間支持部材１０に装着されており、中間支持部材１０はユニット同士の連結部品を兼ねている。中間支持部材１０は曲げ強度を有する鋼製の支持シャフト７に吊持されている。したがって、ロールスクリーンのブラケットから離隔する側の端部の垂れ下がりが防止される。しかも、中間支持部材１０は、高さ調整螺子１０６によって上下方向に位置調整自在に支持シャフト７から吊持されており、仮に、開口幅中央部位のロールスクリーンユニットの自重による垂れ下がりが発生した場合であっても、高さ調整螺子１０６で中間支持部材１０を介してロールスクリーンユニット６の端部を引き上げることで垂れ下がりを修正することができる。
【００２３】
図示の実施例に基づいて本発明を説明したが、本発明は図示の実施例に限定されるものでない。ブラケット５に近接する側のロールスクリーンユニット６の端部を端部支持部材９によって支持させたものを示したが、ブラケット５に近接する側のロールスクリーンユニット６の端部を、ブラケット５から離隔した端部と同様に支持シャフト７によって吊持させて支持してもよい。連装されたロールスクリーンユニット６のブラケット５から離隔した端部同士を共通の一つの中間支持部材１０に装着したものを示したが、各ロールスクリーンユニット６の端部をそれぞれ独立した中間支持部材に装着し、各中間支持部材が支持シャフトにそれぞれ吊持されるようにしてもよい。ロールスクリーンユニット６（中間支持部材１０）を高さ調整自在に支持シャフト７に吊持させる手段として、吊持手段及び高さ調整手段を兼用する高さ調整螺子１０６を示したが、吊持手段は螺子には限定されず、また、吊持手段と高さ調整手段とを独立させて、それぞれ別部材で構成してもよい。例えば、吊持手段を、紐、帯、鋼板、アルミ板、アルミ型材等で形成し、調整機能を螺子で行うようにしてもよい。また、ブラケット５から離隔した側のロールスクリーンユニット６の端部を、中間支持部材を用いずに、直接支持シャフト７に吊持させてもよい。また、実施例では、一体のブラケット５を示したが、シャッターカーテン３を巻装する巻取シャフト４が架設されるブラケットと、支持シャフト７及びロールスクリーンユニット６が架設されるブラケットとを別部材から構成してもよく、本明細書において、「シャッターケースの左右のブラケット」には、別部材で形成した支持シャフト７及びロールスクリーンユニット６も含まれる。さらに、シャッターケースを庇として用いる場合においても、本発明に係る支持構造を採用することができる。シャッターケースを単に庇として用いる場合にはケース内に巻取シャフトが無いので中間ブラケットを躯体側から持ち出し状に取り付けることも検討され得るが、その場合には躯体側の下地が該ブラケットを十分に支持できるものである必要がある。これに対して、本発明に係る支持構造は躯体側の下地の状態に関係なく採用することができる。実施例では、２連の連装ロールスクリーンユニットを示したが、３つ以上のロールスクリーンユニットを連装してもよい。さらには、本発明に係る支持構造は、単装のロールスクリーンユニットの支持構造に用いることもできる。
【産業上の利用可能性】
【００２４】
本発明は、ロールスクリーン付シャッター装置に利用することができる。
【図面の簡単な説明】
【００２５】
【図１】窓シャッターの正面図である。
【図２】ロールスクリーン付窓シャッター装置の平面図である。
【図３】ロールスクリーン付窓シャッター装置の縦断面図である。
【図４】上図は、シャッターケースの内部を示す部分内観図であり、下図は、上図の中央部位の縦断面図である。
【図５】端部支持部材を示す図である。
【図６】中間支持部材を示す図である。
【図７】ロールスクリーンユニットの位置調整金具を示す図である。
【図８】支持シャフトを示す図である。
【符号の説明】
【００２６】
２  シャッターケース
３  シャッターカーテン
４  巻取シャフト
５  ブラケット
６  ロールスクリーンユニット
７  支持シャフト
１０６  高さ調整螺子
【図１】
2006063678.tif 000003
【図２】
2006063678.tif 000004
【図３】
2006063678.tif 000005
【図４】
2006063678.tif 000006
【図５】
2006063678.tif 000007
【図６】
2006063678.tif 000008
【図７】
2006063678.tif 000009
【図８】
2006063678.tif 000010